(57)【要約】【課題】本発明の目的は、同軸ケーブル用スリーブが取り付けられた部分を容易に曲げることができる同軸ケーブル及びこれに用いられる同軸ケーブル用スリーブを提供することである。【解決手段】同軸ケーブル用スリーブ１０は、同軸ケーブル１と導通され、かしめ部１２，１４及び連結部２０を備えている。かしめ部１２，１４は、同軸ケーブル１をかしめている。連結部２０は、帯状であり、かしめ部１２とかしめ部１４とを連結している。また、連結部２０は、かしめ部１２からかしめ部１４に向かって蛇行するように延在している。【選択図】図５
2015103510.tif 000002
【特許請求の範囲】
【請求項１】
同軸ケーブルの外部導体に導通される同軸ケーブル用スリーブであって、
前記同軸ケーブルをかしめる第１のかしめ部と、
前記同軸ケーブルをかしめる第２のかしめ部と、
前記第１のかしめ部と前記第２のかしめ部とを連結する帯状の連結部と、
を備え、
前記連結部は、前記第１のかしめ部から前記第２のかしめ部に向かって蛇行するように延在していること、
を特徴とする同軸ケーブル用スリーブ。
【請求項２】
前記第１のかしめ部は、前記外部導体と接触していること、
を特徴とする請求項１に記載の同軸ケーブル用スリーブ。
【請求項３】
前記連結部は、該連結部が延在する方向に対して直交する一方側に向かって凸である第１の屈曲部と、一方側と反対方向の他方側に向かって凸である第２の屈曲部とにより構成され、
前記第１の屈曲部と前記第２の屈曲部とが、交互に接続されていること、
を特徴とする請求項１又は請求項２に記載の同軸ケーブル用スリーブ。
【請求項４】
前記第１の屈曲部の個数及び前記第２の屈曲部の個数は同じであること、
を特徴とする請求項１乃至請求項３のいずれかに記載の同軸ケーブル用スリーブ。
【請求項５】
前記第１の屈曲部の形状及び前記第２の屈曲部の形状は略同じであること、
を特徴とする請求項１乃至請求項４のいずれかに記載の同軸ケーブル用スリーブ。
【請求項６】
請求項１乃至請求項５のいずれかに記載の同軸ケーブル用スリーブを備えること、
を特徴とする同軸ケーブル。
【請求項７】
請求項１乃至請求項５のいずれかに記載の同軸ケーブル用スリーブが、先端に設けられていること、
を特徴とする同軸ケーブル。
【発明の詳細な説明】
【技術分野】
【０００１】
本発明は、同軸ケーブル用スリーブ及び同軸ケーブルに関し、詳しくは、同軸ケーブル用スリーブの形状に関する。
【背景技術】
【０００２】
従来の同軸ケーブル用スリーブ及び同軸ケーブルとしては、例えば、特許文献１に記載の同軸ケーブル用スリーブ及び同軸ケーブルが知られている。この種の同軸ケーブル５００では、図８に示すように、同軸ケーブルの外部導体５０３を覆うように筒状の同軸ケーブル用スリーブ５０５が取り付けられている。このように構成された同軸ケーブル５００では、同軸ケーブル用スリーブ５０５が取り付けられた部分の剛性が高いため、この部分で曲げることが困難であった。
【先行技術文献】
【特許文献】
【０００３】
【特許文献１】特開２０１０−５６０３３号公報
【発明の概要】
【発明が解決しようとする課題】
【０００４】
そこで、本発明の目的は、同軸ケーブル用スリーブが取り付けられた部分を容易に曲げることができる同軸ケーブル及びこれに用いられる同軸ケーブル用スリーブを提供することである。
【課題を解決するための手段】
【０００５】
本発明の第１の形態に係る同軸ケーブル用スリーブは、
同軸ケーブルの外部導体に導通される同軸ケーブル用スリーブであって、
前記同軸ケーブルをかしめる第１のかしめ部と、
前記同軸ケーブルをかしめる第２のかしめ部と、
前記第１のかしめ部と前記第２のかしめ部とを連結する帯状の連結部と、
を備え、
前記連結部は、前記第１のかしめ部から前記第２のかしめ部に向かって蛇行するように延在していること、
を特徴とする。
【０００６】
本発明の第２の形態に係る同軸ケーブルは、
前記同軸ケーブル用スリーブを備えていること、
を特徴とする。
【０００７】
本発明の第３の形態に係る同軸ケーブルは、
前記同軸ケーブル用スリーブが先端に設けられていること、
を特徴とする。
【０００８】
本発明の第１の形態に係る同軸ケーブル用スリーブでは、第１のかしめ部と第２のかしめ部とを連結する連結部が、筒状ではなく帯状であるため、曲げることが容易である。これに加え、連結部は、第１のかしめ部から第２のかしめ部に向かって蛇行するように延在している。これにより、連結部が曲げられた際に、連結部の単位長さ当たりの変形量が、連結部が直線的である場合と比較して小さいため、連結部の屈曲による破損が抑制される。
【発明の効果】
【０００９】
本発明の一形態である同軸ケーブル用スリーブ及び同軸ケーブルによれば、同軸ケーブル用スリーブが取り付けられた部分を容易に曲げることができる。
【図面の簡単な説明】
【００１０】
【図１】本発明の一実施形態に係る同軸ケーブルの外観斜視図である。
【図２】本発明の一実施形態に係る同軸ケーブル用スリーブの外観斜視図である
【図３】本発明の一実施形態に係る同軸ケーブルの外観斜視図である。
【図４】本発明の一実施形態に係る同軸ケーブルの断面図である。
【図５】本発明の一実施形態に係る同軸ケーブルの外観斜視図である。
【図６】第１変形例に係る同軸ケーブルの外観斜視図である。
【図７】第２変形例に係る同軸ケーブルの外観斜視図である。
【図８】特許文献１に記載の同軸ケーブル及び同軸ケーブル用スリーブと同種の同軸ケーブル及び同軸ケーブル用スリーブの外観斜視図である。
【発明を実施するための形態】
【００１１】
（同軸ケーブルの構成  図１参照）
以下、本発明の一実施形態に係る同軸ケーブルについて図面を参照しながら説明する。
【００１２】
同軸ケーブル１は、図１に示すように、断面が円形をしたケーブルであり、その中心から内部導体２、絶縁体３、外部導体４及び保護被覆５の順で同心円を形成するように構成され、更に、同軸ケーブル用スリーブ１０を備えている。以下で、同軸ケーブル１が延在する方向をｘ軸方向と定義する。なお、同軸ケーブル１の延在方向と同軸ケーブル用スリーブが延在する方向は同じである。
【００１３】
内部導体２は、銅などの導体を材料とした線状導体である。絶縁体３は、ポリエチレン等の絶縁体からなり、内部導体２の周囲を覆っている。外部導体４は、内部導体２の線径に比べて細い線径である複数の銅線を網状に編んだ編組み銅線により構成され、絶縁体３の周囲を覆っている。保護被覆５は、ポリ塩化ビニルなどにより構成され、外部導体４を被覆している。そして、同軸ケーブル１の端部αは、内部導体２、絶縁体３、外部導体４それぞれが、所定長さだけ露出するように加工されている。なお、外部導体４は、横巻き銅線により構成されてもよい。
【００１４】
（同軸ケーブル用スリーブの構成  図１〜図５参照）
同軸ケーブル用スリーブ１０は、図１に示すように、同軸ケーブル１の端部αに設けられている。また、同軸ケーブル用スリーブ１０は、図２に示すように、１枚の板金（リン青銅等）から成り、外部導体４の表面から同軸ケーブル１をかしめる２つのかしめ部１２，１４及びこれらを連結する連結部２０から構成されている。
【００１５】
かしめ部１２，１４は、同軸ケーブル用スリーブ１０においてｘ軸方向の両端に位置している。具体的には、かしめ部１２は、同軸ケーブル用スリーブ１０のｘ軸方向の負方向側の端部に位置し、かしめ部１４は、同軸ケーブル用スリーブ１０のｘ軸方向の正方向側の端部に位置する。また、かしめ部１２，１４は、同軸ケーブル用スリーブ１０が同軸ケーブル１に取り付けられる前の状態では、ｘ軸方向から見て、Ｕ字状を成している。そして、かしめ部１２，１４がかしめられることにより、同軸ケーブル用スリーブ１０が同軸ケーブル１に取り付けられると、かしめ部１２，１４は円筒状を成す。このとき、かしめ部１２，１４が成す円筒には、図３に示すように、該円筒の延在方向に延びるスリットβが生じる。ここで、図４に示すように、ｘ軸方向と直交する一方向であって、同軸ケーブル１の中心からスリットβに向かう方向をｙ軸方向とする。また、ｘ軸及びｙ軸に直交する方向をｚ軸と定義する。
【００１６】
連結部２０は、図５に示すように、かしめ部１２のｘ軸方向の正方向側の端部、及びかしめ部１４のｘ軸方向の負方向側の端部を連結する帯状の部分である。また、連結部２０は、ｚ軸方向の正方向側（一方側）に向かって凸である屈曲部２２と、ｚ軸方向の負方向側（他方側）に向かって凸である屈曲部２４とが、互いのｘ軸方向の端部で交互に接続されることにより構成さている。その結果、連結部２０は、かしめ部１２のｘ軸方向の正方向側の端部から、かしめ部１４のｘ軸方向の負方向側の端部に向かって蛇行するように延在している。また、屈曲部２２，２４はそれぞれ、ｙ軸方向から見ると、Ｕ字状を成している。つまり、屈曲部２２，２４は、ほぼ同じ形状である。さらに、本実施例の連結部２０における、屈曲部２２の個数及び屈曲部２４の個数は、共に２つであり、同数である。図５に示すように、連結部２０の帯状の部分は、外部導体４の外周の半分の長さより小さな幅を有して、外部導体４の外周に沿って設けられている。
【００１７】
（効果）
同軸ケーブル用スリーブ１０では、連結部２０が、特許文献１に記載のスリーブと同種の同軸ケーブル用スリーブ５０５のように筒状ではなく、帯状であるため、曲げることが容易である。さらに、その曲げ方向に関しても自由度が高い。従って、同軸ケーブル１において、同軸ケーブル用スリーブ１０が取り付けられた部分も容易に曲げることができる。
【００１８】
また、同軸ケーブル用スリーブ１０では、連結部２０が、かしめ部１２からかしめ部１４に向かって蛇行するように延在している。これにより、連結部２０が曲げられた際に、連結部２０の単位長さ当たりの変形量が、連結部２０が直線的である場合と比較して小さいため、連結部２０の屈曲による破損が抑制される。
【００１９】
さらに、連結部２０は、略同じ形状の屈曲部２２，２４が、同じ個数だけ交互に並んで構成されている。従って、同軸ケーブル用スリーブ１０では、連結部２０が曲げられた際に、連結部２０の特定の部位に応力が集中することが緩和される。
【００２０】
これに加え、同軸ケーブル用スリーブ１０は金属により構成されているため、同軸ケーブル用スリーブ１０を実装基板のグランド電極等にはんだ付けすることが可能である。これにより、同軸ケーブル１の外部導体４の電位をより安定させることができる。
【００２１】
（第１変形例  図６参照）
第１変形例に係る同軸ケーブル１Ａと同軸ケーブル１との相違点は、同軸ケーブル用スリーブ１０が設けられている位置と、そのかしめ部１２，１４の形状である。具体的には、同軸ケーブル１Ａにおいて、同軸ケーブル用スリーブ１０は、図６に示すように、同軸ケーブル１Ａの保護被覆５が剥がされ、外部導体４が露出した中間部分に設けられている。また、かしめ部１２，１４それぞれのｘ軸方向の略中央には、ｘ軸方向と直交するスリットγが設けられている。これにより、かしめ部１２，１４はそれぞれ、２つの部分に分割されている。そして、同軸ケーブル用スリーブ１０は、分割されたかしめ部１２の一方の部分が保護被覆５をかしめ、他方の部分は外部導体４をかしめている。また、分割されたかしめ部１４も同様に、一方の部分が保護被覆５をかしめ、他方の部分は外部導体４をかしめている。同軸ケーブル１Ａにおける他の構成は、同軸ケーブル１と同様である。従って、同軸ケーブル１Ａにおいて、同軸ケーブル用スリーブ１０が設けられている位置と、そのかしめ部１２，１４の形状以外の説明は、同軸ケーブル１での説明のとおりである。
【００２２】
（第２変形例  図７参照）
第２変形例に係る同軸ケーブル１Ｂと同軸ケーブル１との相違点は、同軸ケーブル用スリーブ１０の連結部２０に対して、迂回部３０が付加されている点である。具体的には、図７に示すように、同軸ケーブル１Ｂにおける同軸ケーブル用スリーブ１０の連結部２０では、２つある屈曲部２４のｚ軸方向の負方向側の端部を結ぶＵ字型の迂回部３０が付加されている。このように連結部２０に対して、迂回部３０が付加されていても、連結部２０は帯状を成し、蛇行していることに変わりはない。従って、同軸ケーブル１Ｂにおいても同軸ケーブル１と同様の効果を奏す。同軸ケーブル１Ｂにおける他の構成は、同軸ケーブル１と同様である。従って、同軸ケーブル１Ｂにおいて迂回部３０が付加されている点以外の説明は、同軸ケーブル１での説明のとおりである。
【００２３】
（その他の実施形態）
本発明に係る同軸ケーブル用スリーブ及び同軸ケーブルは、前記実施形態に係る同軸ケーブル１〜１Ｂに限らずその要旨の範囲内において変更可能である。例えば、かしめ部１２，１４が保護皮膜５をかしめ、連結部２０が外部導体４と接触することにより、外部導体４と同軸ケーブル用スリーブ１０とが導通されていてもよい。また、屈曲部２２，２４の個数や長さなど細かな形状や、同軸ケーブルの材料などは任意である。
【産業上の利用可能性】
【００２４】
以上のように、本発明は、同軸ケーブル用スリーブ及び同軸ケーブルに有用であり、特に同軸ケーブル用スリーブが取り付けられた部分を容易に曲げることができる点において優れている。
【符号の説明】
【００２５】
１〜１Ｂ  同軸ケーブル
４  外部導体
１０  同軸ケーブル用スリーブ
１２，１４  かしめ部
２０  連結部
２２，２４  屈曲部
【図１】
2015103510.tif 000003
【図２】
2015103510.tif 000004
【図３】
2015103510.tif 000005
【図４】
2015103510.tif 000006
【図５】
2015103510.tif 000007
【図６】
2015103510.tif 000008
【図７】
2015103510.tif 000009
【図８】
2015103510.tif 000010